(57)【特許請求の範囲】
【請求項１】
電気音響変換器が内蔵された第１のイヤホン本体と、この第１のイヤホン本体と一端が接続される、内部に一方向の押圧により導通するスイッチ部材が長さ方向に沿って所定の範囲設けられスイッチ機能を有する第１のケーブルと、
電気音響変換器が内蔵された第２のイヤホン本体と、この第２のイヤホン本体と一端が接続される、内部に一方向の押圧により導通するスイッチ部材が長さ方向に沿って所定の範囲設けられスイッチ機能を有する第２のケーブルとを備え、
前記第１、第２のケーブルによってスイッチを２つに振り分け、かつ前記第１、第２のケーブルのスイッチ機能を有する部分を重ねて配置し、重ね部分を一方向の押圧により各スイッチを同時に導通させることを特徴とするイヤホン装置。
【請求項２】
請求項１記載のイヤホン装置において、前記第１、第２のケーブルの他端側のスイッチ機能を有する部分を重ねて配置可能な挿通孔が形成され、押圧により変形可能なホルダ内に挿通したことを特徴とするイヤホン装置。
【請求項３】
請求項２記載のイヤホン装置において、前記ホルダは第１、第２のケーブルのスイッチ機能を有する少なくとも一部の範囲でスライド可能であることを特徴とするイヤホン装置。
【請求項４】
請求項１、２または３記載のイヤホン装置に対応して動作する携帯端末を組合せて構成したことを特徴とする音響再生装置。
【発明の詳細な説明】
【技術分野】
【０００１】
この発明は、音響再生用のイヤホン本体と、このイヤホン本体に接続されるスイッチ機能を有するケーブルとを備え、携帯端末と組み合わせて使用すると好適なイヤホン装置およびこのイヤホン装置を用いた音響再生装置に関する。
【背景技術】
【０００２】
音楽再生機能を備えた携帯端末に接続されるイヤホンの最も基本的態様は、主として次の部品から構成されている。
【０００３】
音響変換器（磁気回路、振動板等のユニット）がそれぞれ内蔵された第１、第２のイヤホン本体、各イヤホン本体に接続される第１、第２のモノラルケーブル、各モノラルケーブルの端部に設けられた携帯端末接続用プラグ。
【０００４】
上記各ケーブルの一端はそれぞれのイヤホン本体に接続され、他端には携帯端末接続用プラグが接続され、２本の各ケーブルの中間部から携帯端末接続用プラグまでの部分は通常１本のケーブル状（以下、第３のケーブルという）にまとめられ、ケーブル全体はＹ字状に構成されている。
【０００５】
また、第１、第２のケーブルと第３のケーブルとの部分にはストッパ部が設けられ、収納時の各ケーブルの絡み防止や使用時の好みに合わせるためのスライドホルダーを備えたものもある。
【０００６】
これに加えて、更に携帯端末の再生機能の「Ｖｏｌ．＋」、「Ｖｏｌ．−」、「Ｐｌａｙ，Ｐａｕｓｅ」等を操作するための操作ボタン（スイッチ）を有するコントローラを備えたものがある。
【０００７】
このコントローラは、イヤホン本体と携帯端末とを接続するためのコネクタの間のケーブル上に設けられている。特に通話用マイクを備えたコントローラの場合、通話用マイクは通話に適した口元付近、すなわちイヤホン本体に近い第１、第２のケーブル上に設けられているものがある。
【０００８】
第１、第２のケーブルとしては、従前からある一般的なケーブル以外に、特開２０１５−２０７４５５（特許文献１）に示されるように、無線機能を搭載したイヤホンに、コントロールスイッチとしてのケーブルスイッチが開示されている。
【０００９】
このスイッチは、ケーブルの特定箇所にスイッチが設けられたものでなく、ケーブルの長さ方向の有効範囲内にわたってスイッチ機能を有し、その範囲でケーブルのどこを押圧してもスイッチ動作（スイッチオン）可能な構造となっている。このようなスイッチをケーブルスイッチという。
【先行技術文献】
【特許文献】
【００１０】
【特許文献１】特開２０１５−２０７４５５
【発明の概要】
【発明が解決しようとする課題】
【００１１】
ケーブルの特定の箇所に設けられたコントローラのスイッチに対し、ケーブルスイッチは押圧によって動作可能な範囲が広く操作がしやすいというメリットがある。
【００１２】
しかし、「Ｖｏｌ．＋」、「Ｖｏｌ．−」、「Ｐｌａｙ，Ｐａｕｓｅ」等複数の系統のスイッチ機能を同一ケーブル上に配置する場合、各機能別に押圧すべき範囲（場所）をユーザに示すための表示が必要となりデザイン上の自由度が低くなりやすい。また、表示がされていたとしても、イヤホン本体を耳に装着した状態では、表示を確認しながらの操作は煩わしく、確認をしない場合では誤操作をしてしまう可能性がある、という課題がある。
【００１３】
この発明は上記のことに鑑み提案されたもので、その目的とするところは、ケーブルスイッチをイヤホンに適用し、初めて使用するユーザであっても操作しやすく、かつスイッチ部分を３箇所とし、それら３箇所を必要に応じ適宜選択して押圧するようにし、これにより所望の動作を容易に行うことができるようにし、誤操作しにくく、更に動作範囲の表示等を不要としたイヤホン装置を提供することにある。
また、このイヤホン装置に対応して動作する携帯端末を組合せて音響を再生する音響再生装置を提供することにある。
【課題を解決するための手段】
【００１４】
請求項１に係る発明は、電気音響変換器が内蔵された第１のイヤホン本体と、この第１のイヤホン本体と一端が接続される、内部に一方向の押圧により導通するスイッチ部材が長さ方向に沿って所定の範囲設けられスイッチ機能を有する第１のケーブルと、電気音響変換器が内蔵された第２のイヤホン本体と、この第２のイヤホン本体と一端が接続される、内部に一方向の押圧により導通するスイッチ部材が長さ方向に沿って所定の範囲設けられスイッチ機能を有する第２のケーブルとを備え、前記第１、第２のケーブルによってスイッチを２つに振り分け、かつ前記第１、第２のケーブルのスイッチ機能を有する部分を重ねて配置し、重ね部分を一方向の押圧により各スイッチを同時に導通させることを特徴とする。
請求項２に係る発明は、請求項１記載のイヤホン装置において、前記第１、第２のケーブルの他端側のスイッチ機能を有する部分を重ねて配置可能な挿通孔が形成され、押圧により変形可能なホルダ内に挿通し、ホルダの押圧により同時に導通させスイッチとして機能させたことを特徴とする。
請求項３に係る発明は、請求項２記載のイヤホン装置において、前記ホルダは第１、第２のケーブルのスイッチ機能を有する少なくとも一部の範囲でスライド可能であることを特徴とする。
請求項４に係る発明は、請求項１、２または３記載のイヤホン装置に対応して動作する携帯端末を組合せた音響再生装置であることを特徴とする。
【発明の効果】
【００１５】
請求項１記載の本発明によれば、第１、第２のケーブルスイッチがそれぞれ使用時においてユーザの左右に完全に振り分けられ、いずれのケーブルのどの部分を押圧しても導通させることができるため、使い易く、誤操作しにくい、といった効果がある。また、第１、第２の２つのケーブルスイッチが重ねられている部分を第３のスイッチとして使用できる、といった効果がある。
請求項２記載の本発明によれば、ホルダ部分が第３のスイッチであるとユーザは容易に認識できる。
請求項３記載の本発明によれば、ホルダは、第１、第２のケーブルスイッチに対しスライド可能であるため、ユーザの好みに応じ第１、第２のケーブルスイッチのスイッチ機能部分及び第３のスイッチ機能の配置を設定することができる。
請求項４記載の本発明によれば、携帯端末の音響のボリューム・アップ、ボリューム・ダウン等の各種操作を容易、かつ誤操作なく確実に行うことができ、音響を再生して楽しむことができる。
【図面の簡単な説明】
【００１６】
【図１】（ａ）は本発明に係るイヤホン装置の斜視図。（ｂ）はホルダの動作を示した部分斜視図。
【図２】ホルダを移動させた状態を示す斜視図。
【図３】本発明に用いると好適なケーブルスイッチの内部構造を示す縦断面図。
【図４】同上のケーブルスイッチの帯状導体膜の構成部材の展開図。
【図５】ケーブルスイッチを内蔵したケーブルの曲げた状態を示す斜視図。
【図６】同曲げ状態でのケーブルスイッチ構成部材である第１、第２導体膜の様子を示す説明図。
【図７】ケーブルスイッチを押圧した状態。
【図８】本発明のホルダにケーブルスイッチがセットされた状態の説明図。
【図９】同上のホルダを押圧した状態の説明図。
【図１０】他のケーブルスイッチの構成例。
【図１１】本発明に係るイヤホン装置を用いた音響再生装置の第１の実施例を示す。
【図１２】同上のスイッチ回路の一例。
【図１３】スイッチ回路の他の例。
【図１４】本発明に係るイヤホン装置を用いた音響再生装置の第２の実施例を示す。
【図１５】本発明に係るイヤホン装置を用いた音響再生装置の第３の実施例を示す。
【発明を実施するための形態】
【００１７】
図１（ａ）は本発明に係るイヤホン装置の基本構成を示す。Ｌは例えば左側の耳に挿入する第１のイヤホン本体、Ｒは右側の耳に挿入する第２のイヤホン本体で、各イヤホン本体Ｌ、Ｒには電気音響変換器が内蔵されている。この電気音響変換器は、マグネット、コイル等からなる駆動部、コイルに接続された振動板を備えた振動部からなり、公知の適宜のものを採用し組み込めば良い。
【００１８】
１Ａは第１のイヤホン本体Ｌに一端が接続された第１のケーブルスイッチを内蔵する第１のケーブル、１Ｂは第２のイヤホン本体Ｒに接続された第２のケーブルスイッチを内蔵する第２のケーブルで、これら各ケーブル１Ａ、１Ｂの他端側は、（ｂ）図および図２に示すように、スライド可能なホルダ２内に挿入されている。３はホルダ２のスライドを規制するストッパである。ストッパ３内部にはスイッチ回路が組み込まれており、第１、第２のケーブルスイッチは前記のスイッチ回路に接続され、ストッパ３の下端からはスイッチ回路から携帯端末に接続されるプラグのＧＮＤ、ＳＷ（ＭＩＣ）に接続される導線及びＬＲ信号線が一つのシース内に収められ導出されている。これらスイッチ回路、プラグ、シース等については後述する。
【００１９】
図３は第１、第２のケーブル１Ａ、１Ｂの内部構造を示す縦断面図である。
【００２０】
このケーブル１Ａ、１Ｂは、偏平であってチューブ状のシース５に、スイッチとして機能する帯状導体膜４が内蔵された構成となっている。
【００２１】
上記帯状導体膜４は、図示の状態において上側に位置する第１の導体膜６と、この第１の導体膜６と離間して対向配置された、下側に位置する第２の導体膜７と、これら第１、第２の導体膜６、７の間に設けられた絶縁スペーサ８とにて構成されている。
【００２２】
上記第１の導体膜６は、絶縁部材からなる第１の帯状基材６ａと、この第１の帯状基材６ａの内面（図示の状態において下面に相当）に帯状に設けられた第１の導体部６ｂによって構成されている。
【００２３】
上記第２の導体膜７は、同じく絶縁部材からなる第２の帯状基材７ａと、この第２の帯状基材７ａの内面（図示の状態において上面に相当）に帯状に設けられた第２の導体部７ｂによって構成されている。
【００２４】
これらの間に配置される絶縁スペーサ８は第１、第２の導体膜６、７の各帯状基材６ｂ、７ｂが接触しないよう相互の間隔を保持する働きをなす。
【００２５】
偏平であって帯状の屈曲自在なシース５はＴＰＥ（熱可塑性エラストマー）からなり、このシース５は第１、第２の導体膜６、７および絶縁スペーサ８からなる帯状導体膜４を挿通可能な略矩形の空洞部を内部に有し、そこに帯状導体膜４が収納されている。なお、空洞部の両外側、すなわちシース５の幅両端部に＋、−の信号線挿通孔９、１０がそれぞれ形成されている。そこに＋、−の信号線９Ａ、１０Ａを挿通することによりスイッチを内蔵したケーブルが構成される。
【００２６】
空洞部は帯状導体膜４を余裕を持って内装できるよう帯状導体膜４の外形より大に形成されている。なお、空洞部の横幅は絶縁スペーサ８が第１、第２の帯状基材６ｂ、７ｂ間を維持できる程度に最小限にする必要がある。
【００２７】
上記絶縁スペーサ８は、スリット７Ｃによって２分割された第２導体部７ｂの外端部にレジストにより形成されている。形成にあたっては、一般的なＦＰＣに用いられるソルダーレジストやカバーレイなどを施す方法を採用することが望ましい。すなわち、レジストやカバーレイは、基材や導体部に接着剤を介して直接接合固定されるため、曲げが想定されているＦＰＣ用のものは導体膜の変形時に導体部や基材に過度な応力が掛からないように、かつ、使用状態において、絶縁部が部分的に剥がれおちることの無いよう、柔軟な材料で基材よりも充分薄く形成される。
【００２８】
図４は帯状導体膜４の各構成部材の展開図である。第１の導体膜６を構成する第１の帯状基材６ａの内面には第１の導体部６ｂが設けられている。第２の導体膜７を構成する第２の帯状基材７ａの内面にはスリット７Ｃを介し、＋、−の電極となる第２の導体部７ｂが設けられ、その端部にリード部７ｄ、７ｅ、接続電極１０、１１が形成されている。第１の導体部６ｂは、＋、−の第２の導体部７ｂ、７ｂを接続可能なジャンパ部として作用する。
【００２９】
絶縁スペーサ８は所定の厚みを有し、長さ方向に沿って所定の間隔で、例えば矩形形状の窓８ａが形成され、梯子状に形成されている。この窓８ａ内において、第１、第２の導体膜６、７は押圧により接触する。
【００３０】
組み立てにあたっては、絶縁スペーサ８を有する第２の導体膜７の上に、第１の導体膜６を長さ方向に移動自在に重ね、その組立体からなる帯状導体膜４をシース５内に挿入する。第１の導体膜６を移動自在に重ねるのは曲げやすくし、また、曲げた場合、それに応じて第１の導体膜６が第２の導体膜７側に変形することなく第２の導体膜上に設けられた絶縁スペーサ８に対し、長さ方向にずれるようにしたためである。なお、曲げた際、第１、第２の導体膜６、７間に絶縁スペーサ８があるため、第１、第２の導体膜６、７が接触し導通することはなく、誤動作を起こすことはない。
【００３１】
図５はケーブル１Ａ、１Ｂの曲げ状態の部分斜視図を示す。
【００３２】
図６に示すように、矢印Ａ方向に曲げると曲げ方向に対し、図５にシース５内の内側に位置する第１の導体膜６は撓んで破線で囲んだような波状部Ｂが生じることがある。この波状部Ｂの寸法Ｌ１の逃げをシース空間部に形成しておかなければ第１の導体膜６は対向する第２の導体膜７と接触し、導通してしまうおそれがある。
【００３３】
そこで、図３において、符号ａで示すように、シース空間部に、その厚み方向に波状部Ｂを吸収する空間部ａを形成し、曲げによって第１、第２の導体膜６、７が不本意に接触して誤動作しないようにしている。なお、図６は、曲げの場合における第１、第２の導体膜６、７の様子を示すもので、説明の便宜上、スペーサ８は省略している。
【００３４】
この構成のケーブル１Ａ、１Ｂによれば、内蔵するケーブルスイッチは曲げに対し誤動作することはない。
【００３５】
このケーブル１Ａ、１Ｂに内蔵するケーブルスイッチは曲げに対し導通しないが、図７に示すように、例えば人差し指Ｆ１と親指Ｆ２で挟み一方向に押圧すればスイッチ部材として機能する第１、第２の導体膜６、７が接触して導通するように構成されている。
【００３６】
なお、シース５の各挿通孔９、１０には、例えば＋側の信号線９Ａ、−側の信号線１０Ａが挿入されケーブル１Ａ、１Ｂが構成される。
【００３７】
上記のように構成された第１、第２のケーブル１Ａ、１Ｂは、図８に示すように、ホルダ２内に挿通される。すなわち、ホルダ２には、図示の状態において、上下に第１、第２のケーブル挿通孔２Ａ、２Ｂが形成されている。これらケーブル挿通孔２Ａ、２Ｂの内形はケーブル１Ａ、１Ｂの外形と対応し、そこにケーブル１Ａ、１Ｂがスライド可能に挿通される。なお、挿通孔２Ａ、２Ｂは上述の形態に限定されず、一方向の押圧により同時に導通させることが可能なように２つのケーブルスイッチが重なる様にすれば良い。例としては略矩形の一つの挿通孔等としても良い。
【００３８】
このホルダ２も好ましくはＴＰＥのような材料にて形成される。このＴＰＥは柔らかく変形しやすい性質を有する。
【００３９】
したがって、図９に示すように、ホルダ２の上下面を人差し指Ｆ１と親指Ｆ２で挟み、変形可能なホルダ２を一方向、つまり厚み方向に押圧してつぶすことにより内蔵された第１、第２のケーブル１Ａ、１Ｂは同時に押圧され、第１、第２の導体膜６、７が接触し、同時に導通させることができる。指を離せば材質に起因する復元力で元の状態に戻る。
【００４０】
ホルダ２の材料としてはＴＰＥ以外に他の弾性部材を用いても良いことは勿論である。
【００４１】
なお、上記において、ケーブル１Ａ、１Ｂに内蔵されるケーブルスイッチの絶縁スペーサ８はレジストにより第２の帯状基材７ａ上に形成されたものについて示したが、図１０に示すように、別体とした絶縁スペーサ８Ａを、第２の導体部７ｂに重ねるようにしたタイプとしたものを用いても良い。また、第２の導体部７ｂに、図３に示すスリット７Ｃを形成せず、第２の導体部７ｂを例えば−側電極、第１の導体部６ｂを＋側電極としても良い。
【００４２】
図１１は本発明に係る上記イヤホン装置を携帯端末に組み合わせた音響再生装置の第１の実施例を示す。図においてＳＷ１、ＳＷ２は、図３に示した第１、第２のケーブル１Ａ、１Ｂの第１、第２の導体膜６、７に相当する。第１、第２の導体膜６、７は接触すると導通し、スイッチの役割を果たすため、ここではＳＷ１、ＳＷ２として表した。
【００４３】
また、図１１において左側部分は、第１のスイッチＳＷ１としての機能を有する第１のケーブル１Ａで、図３に示したシース５内に挿通された、例えば＋側の信号線９Ａ、−側の信号線１０Ａの一端が、第１のイヤホン本体Ｌに接続されていることを示す。また、図１１において右側部分は同様に第２のイヤホン本体Ｌに、第２のケーブル１Ｂの第２の導体膜７に相当する第２のスイッチＳＷ２を備えたケーブル内の信号線９Ａ、１０Ａの一端が接続されていることを示す。
【００４４】
第１、第２のケーブル１Ａ、１Ｂが束ねられ、ホルダ２に重ねて挿通されており、このホルダ２は第３のスイッチとして機能する。そして、ホルダ２から導出された第１、第２のケーブル１Ａ、１ＢのＳＷ１、ＳＷ２は、ストッパ３内に収められたスイッチ回路１１に接続され、スイッチ回路１１からの各線およびそれぞれの信号線９Ａ、１０Ａはプラグ１２の所定の部分に接続されている。
【００４５】
公知の携帯端末１３には音楽再生機能が搭載され、マイク機能を備えたイヤホンを接続できるジャックが備えられている。この携帯端末１３に接続されるプラグ１２は、左側の第１のイヤホン本体部Ｌへ携帯端末１３からの音声信号を供給するための端子部Ｌと、右側の第２のイヤホン本体部Ｒへ携帯端末１３からの音声信号を供給するための端子部Ｒと、マイクを使用する場合、マイクからの音声信号を携帯端末１３へ供給するための端子ＳＷ（ＭＩＣ）と、グランド端子部分Ｇとを備えている。なお、接続時には携帯端末側のマイク入力端子にはマイクに電力供給のための直流バイアス電圧がかけられる。この電圧はさらに前記端子ＳＷ（ＭＩＣ）とグランド端子Ｇに接続された抵抗値の変化を携帯端末側で検知可能とし、それに応じて携帯他端末側に特定の動作をさせることを可能としている。このプラグ１２は携帯端末１３のジャック１３Ａに着脱自在となっている。
【００４６】
そして、プラグ１２を携帯端末１３に接続すると、第１のケーブル１Ａの信号線９Ａ、１０Ａは、端子部Ｌからの音声信号を左側の第１のイヤホン本体部Ｌに送り、第２のケーブル１Ｂの信号線９Ａ、１０Ａは、端子部Ｒからの音声信号を右側の第２のイヤホン本体Ｒに送るようになっている。
【００４７】
使用にあたっては、第１のケーブル１Ａを押圧して導通させたり、第２のケーブル１Ｂを押圧して導通させたり、ホルダ２を押圧するとスイッチ回路１１の抵抗が変化し、それに応じた動作をするようにしている。このように本発明では、スイッチを第１のケーブル１Ａ，第２のケーブル１Ｂの左右に振り分けている。また、中央部の移動自在なホルダ２も第１、第２のケーブル１Ａ，１Ｂそれぞれのスイッチ機能を有する部分が重ねられているため、押圧すれば第３のスイッチとして機能し、スイッチ箇所を左右、中央部の３カ所とし、誤操作を防ぎ、使いやすくしている。
【００４８】
動作にあたっては、スイッチ回路１１は、第１のケーブル１ＡのＳＷ１が閉鎖されるとスイッチ回路１１の抵抗値が既定の値に変化する。そして、ボリューム・アップであれば第１のイヤホン本体Ｌに送る音声信号の音量をアップさせる。第２のケーブル１ＢのＳＷ２が閉鎖されるとスイッチ回路１１の抵抗値は前記の状態とは異なる既定の値に変化し、それがボリューム・ダウンであれば、第２のイヤホン本体Ｒに送る音声信号の音量をダウンさせる。また、ホルダ２が押圧されるとＳＷ１，ＳＷ２が同時に閉鎖され、更に前記と異なる既定の値に変化しそれに応じ再生（Ｐｌａｙ）／中断（Ｐａｕｓｅ）を行うことができるようにしている。
【００４９】
このようなスイッチ回路１１は抵抗のような受動素子を組合せた回路で容易に構成できる。また、携帯端末のマイク用のバイアス電源を利用して動作するＦＥＴのような能動素子を用いた回路でも構成できる。ケーブルスイッチ自体の抵抗が従来のコントローラのものと大きく異なる場合は能動素子を利用することが望ましい。
【００５０】
いずれの構成でも第１のケーブル１Ａの第１のスイッチ、第２のケーブル１Ｂの第２のスイッチ、または各ケーブルのスイッチ機能を有する部分を重ねた部分である第３のスイッチを閉鎖した場合に、それぞれに対応する規定の抵抗値になるように構成し、接続される携帯端末側でその状態が判別できるようにすれば良い。このスイッチ回路例については後述する。
【００５１】
このように、プラグ１２をジャック１３Ａに差し込むことにより携帯端末１３からの信号は第１、第２のイヤホン本体Ｌ、Ｒに送出される。マイク（図示せず）があればその信号は携帯端末１３に送られる。
【００５２】
携帯端末１３側は、定められた抵抗値（ある程度幅をもたせてある）が変化した場合に、音楽再生中であればボリュームを上げるまたは下げる、中断（Ｐａｕｓｅ）、中断中であれば再生（Ｐｌａｙ）等の動作をするように構成されている。更にはその抵抗値に維持されている時間や、特定時間内にその抵抗に複数回変化した場合に再生中の曲を進めるなどの様々な機能が備えられている。
【００５３】
また、公知のイヤホンには、ユーザが上記携帯端末に接続し操作可能にすべくリモコン機能を備えたものがある。それらには３系統のスイッチが設けられたコントローラが、イヤホンケーブルの途中に設けられており、コントローラには各スイッチが押された場合に規定の抵抗値になるようにスイッチ回路が内蔵されている。
【００５４】
図１２は前述の受動素子を用いたスイッチ回路例を示す。この回路は、マイク入力端子（ＭＩＣ  ｉｎｐｕｔ）とグランド端子（ＧＮＤ）間に、直列にＳＷ３と抵抗２を挿入している。そしてこの直列回路に、抵抗Ｒ１、ＳＷ１、ＳＷ２および抵抗２の直列回路を並列に接続して構成している。
【００５５】
このスイッチ回路での回路抵抗値は、スイッチが押されていない状態では抵抗Ｒ１の抵抗値である。ＳＷ１が押されるとゼロ、ＳＷ２が押されるとＲ１×Ｒ２／(Ｒ１＋Ｒ２)、ＳＷ３が押されるとＲ１×Ｒ３／(Ｒ１＋Ｒ３)となる。ＳＷ３とは第１、第２のケーブル１Ａ、１Ｂのスイッチ機能を有する部分が重ねられた部分である。これらの回路抵抗値を接続する携帯端末１３の予め設定された値に合わせてあればユーザはイヤホン使用時において、手元で音楽再生等の操作を行うことができる。すなわち、ＳＷ１が押された場合はボリュームを上げ、ＳＷ２が押された場合はボリュームを下げ、ＳＷ３が押された場合は再生、更に再生中にＳＷ３が押された場合中止させるような操作が可能になる。
【００５６】
本発明では、第１のケーブル１Ａはケーブルスイッチが内蔵された範囲で第１のスイッチＳＷ１として動作するようにし、第２のケーブル１Ｂはケーブルスイッチが内蔵された範囲で第２のスイッチＳＷ２として動作するように構成している。この場合、ホルダ２を移動させれば第１、第２のケーブル１Ａ、１Ｂのスイッチの動作領域を任意に調節することができる。
【００５７】
接続する携帯端末１３が既存のものの場合、上記スイッチ操作によって従来のリモコンスイッチ（スイッチ回路）と同様の抵抗値になるようにスイッチ回路を構成すれば良い。
【００５８】
なお、ケーブルスイッチとしては様々なものがあり、上記の従来のイヤホンのリモコンのコントローラのスイッチよりもスイッチ自体の抵抗値が大きい場合があるため、図１２に示した受動素子のみの回路ではなく、ＦＥＴ等を用いた回路で構成するのが望ましい。ただし、専用の携帯端末等、動作する回路抵抗の規定値を予め設定でき、端末側でケーブルスイッチを利用したスイッチ回路の特性に合わせられる場合はその限りではない。
【００５９】
ＦＥＴのような能動素子を利用したスイッチ回路例を図１３に示す。この回路は、マイク入力端子とグランド端子間に、抵抗Ｒ６とＦＥＴを挿入し、これと並列にＦＥＴバイアス用の抵抗Ｒ５とスイッチＳＷと抵抗Ｒ４の直列回路を接続し、スイッチＳＷと抵抗Ｒ４の中点にＦＥＴのゲートを接続して構成している。
【００６０】
スイッチＳＷ１（図ではＳＷで示している）に対してこの回路を用いると、ＳＷ１（ＳＷ）を押すとＦＥＴが動作して回路抵抗はＲ６となる。
【００６１】
本発明において、スイッチ自体は第１、第２のケーブル１Ａ，１ＢのＳＷ１，ＳＷ２の２系統のみであり、それら２つが同時に押された状態を第３のスイッチＳＷ３としている。そのため、スイッチ回路１１は、図１２に示したＳＷ１の回路に加え、抵抗Ｒ６の値を変えて同様の回路をＳＷ２に適用し、ＳＷ１の回路と並列に置き、更にＳＷ１、２を論理回路の入力に接続し、論理積（ＡＮＤ）をＳＷ３とし、更にＦＥＴを用いた図１３と同様の回路を構成し並列に置くことで従来のイヤホンのスイッチ回路と同様の抵抗値を示すことができる。
【００６２】
図１４は本発明のイヤホン装置を用いた音響再生装置の第２の実施例を示す。この実施例は、前述した公知の携帯端末とは異なる携帯端末に接続する場合の例であって、スイッチ回路を第１実施例のようにイヤホン側に設けず、携帯端末１３側にもたせたものである。
【００６３】
また、ホルダ２からの各線はストッパ３を経て接続用コネクタ１４に接続している。信号線９Ａ、１０Ａおよび第１、第２のケーブル１Ａ、１ＢのＳＷ１、ＳＷ２のグランド線はコネクタ１４の共通端子Ｇに接続し、その他の線はコネクタ１４の接続部Ｌ、Ｒ、ＳＷ１、ＳＷ２に接続している。この実施例でもユーザはスイッチ操作を容易に行うことができる。また、スイッチ回路がイヤホン側にないため、軽量化が可能であり、付け心地の向上が図れる。
【００６４】
図１５は本発明のイヤホン装置を用いた音響再生装置の第３の実施例を示す。この実施例ではイヤホン装置のストッパ１５の部分に、近距離無線回路、増幅回路、スイッチ回路、電池等を内蔵させたものである。携帯端末（図示せず）には、イヤホン装置と同規格の近距離無線機能をもたせることで接続できる。この場合、イヤホン装置内のスイッチ回路が示すデータを無線規格の範囲内で携帯端末に送出できるように構成すれば良い。
【符号の説明】
【００６５】
Ｌ            第１のイヤホン本体
Ｒ            第２のイヤホン本体
１Ａ          第１のケーブル
１Ｂ          第２のケーブル
２            ホルダ
３            ストッパ
４            帯状導体膜
５            シース
６            第１の導体膜
７            第２の導体膜
８            絶縁スペーサ
９，１０      信号線挿通孔
９Ａ，１０Ａ  信号線
１１          スイッチ回路
１２          プラグ
１３          携帯端末
１４          コネクタ
１５          ストッパ
ＳＷ１        第１のスイッチ
ＳＷ２        第２のスイッチ
ＳＷ３        第３のスイッチ
【図１】
0006555817.tif 000002
【図２】
0006555817.tif 000003
【図３】
0006555817.tif 000004
【図４】
0006555817.tif 000005
【図５】
0006555817.tif 000006
【図６】
0006555817.tif 000007
【図７】
0006555817.tif 000008
【図８】
0006555817.tif 000009
【図９】
0006555817.tif 000010
【図１０】
0006555817.tif 000011
【図１１】
0006555817.tif 000012
【図１２】
0006555817.tif 000013
【図１３】
0006555817.tif 000014
【図１４】
0006555817.tif 000015
【図１５】
0006555817.tif 000016